(57)【要約】【課題】注湯時にはより大きな容積を有する抽出袋に拡張して抽出袋の上部開口から嗜好飲料および被抽出物が溢れ出すことがなく、嗜好飲料中に被抽出物が混在したり、十分抽出されていない嗜好飲料になることもなく風味豊かな嗜好飲料を抽出でき、注湯作業も容易な嗜好性飲料抽出用バッグを提供する。【解決手段】本発明の嗜好飲料用抽出バッグ１は、上部開口２を備え内部に被抽出物を収納するための抽出袋３と、抽出袋３の正面および背面にそれぞれ取り付けられると共に飲用カップ２０の上部開口周縁部２１に掛止される抽出袋支持シート４ａ，４ｂとを有し、抽出袋３は、上方に向かって徐々に横幅が大きくなる側部襠部５ａ，５ｂまたは／および底部襠部６を有し、側部襠部５ａ，５ｂまたは／および底部襠部６はそれぞれ内側に折り込まれている。【選択図】図５
2015077325.tif 000002
【特許請求の範囲】
【請求項１】
上部開口を備え内部に被抽出物を収納するための抽出袋と、該抽出袋の正面および背面にそれぞれ取り付けられると共に飲用カップの上部開口周縁部に掛止される抽出袋支持シートとを有し、前記抽出袋は、両側部にそれぞれ上方に向かって徐々に横幅が大きくなる側部襠部を有し、該側部襠部は内側に折り込まれていることを特徴とする嗜好性飲料抽出用バッグ。
【請求項２】
前記抽出袋は、底部襠部を有し、該底部襠部が内側に折り込まれている請求項１に記載の嗜好性飲料抽出用バッグ。
【請求項３】
上部開口を備え内部に被抽出物を収納するための抽出袋と、該抽出袋の正面および背面にそれぞれ取り付けられると共に飲用カップの上部開口周縁部に掛止される抽出袋支持シートとを有し、前記抽出袋は、底部襠部を有し、該底部襠部は内側に折り込まれていることを特徴とする嗜好性飲料抽出用バッグ。
【発明の詳細な説明】
【技術分野】
【０００１】
本発明は、ドリップ方式にてコーヒーや紅茶等を淹れる際に用いられる嗜好性飲料抽出バッグに関し、より詳しくは、注湯時に被抽出物が湯と共に溢れ出すことなく、風味のよいコーヒーや紅茶等を淹れることができる嗜好性飲料抽出用バッグに関するものである。
【背景技術】
【０００２】
従来より、不織布等の抽出袋と、抽出袋の表裏面にそれぞれ取り付けられカップの上部開口周縁部に掛止するための紙製等の支持シートとを有した嗜好性飲料抽出バッグが種々提案されている。例えば、そのようなものとして、図１０に示した簡易型濾過器３０（特開２０１２−２３９４７３号公報）がある。
【０００３】
この簡易型濾過器３０は、不織布等の抽出袋３１と、抽出袋３１の表裏面にそれぞれ取り付けられカップの上部開口周縁部に掛止される支持シート３２ａ，３２ｂを有し、抽出袋３１が通湯性に劣る材質にて形成されることによって、適切なドリップ時間が確保されて、コーヒー豆等被抽出物から風味豊かな嗜好飲料が抽出されるよう構成されたものである。
【０００４】
しかし、この簡易型濾過器３０の抽出袋３１は容積が小さいため、注湯時に抽出袋３１の上部開口３３から嗜好飲料および被抽出物が溢れ出すことがあり、嗜好飲料中に被抽出物が混在したり、十分抽出されていない嗜好飲料になるなど、注湯作業に難点があった。
【先行技術文献】
【特許文献】
【０００５】
【特許文献１】特開２０１２−２３９４７３号公報
【発明の概要】
【発明が解決しようとする課題】
【０００６】
そこで、本発明の課題は、注湯時にはより大きな容積を有する抽出袋に拡張して抽出袋の上部開口から嗜好飲料および被抽出物が溢れ出すことがなく、嗜好飲料中に被抽出物が混在したり、十分抽出されていない嗜好飲料になることもなく風味豊かな嗜好飲料を抽出でき、注湯作業も容易な嗜好性飲料抽出用バッグを提供することにある。
【課題を解決するための手段】
【０００７】
上記課題を達成するものは、上部開口を備え内部に被抽出物を収納するための抽出袋と、該抽出袋の正面および背面にそれぞれ取り付けられると共に飲用カップの上部開口周縁部に掛止される抽出袋支持シートとを有し、前記抽出袋は、両側部にそれぞれ上方に向かって徐々に横幅が大きくなる側部襠（まち）部を有し、該側部襠部は内側に折り込まれていることを特徴とする嗜好性飲料抽出用バッグである。
【０００８】
前記抽出袋は底部襠部を有し、該底部襠部が内側に折り込まれていることが好ましい。
【０００９】
また、上記課題を達成するものは、上部開口を備え内部に被抽出物を収納するための抽出袋と、該抽出袋の正面および背面にそれぞれ取り付けられると共に飲用カップの上部開口周縁部に掛止される抽出袋支持シートとを有し、前記抽出袋は底部襠部を有し、該底部襠部は内側に折り込まれていることを特徴とする嗜好性飲料抽出用バッグである。
【発明の効果】
【００１０】
請求項１に記載の嗜好性飲料抽出用バッグによれば、注湯時には、抽出袋の上部開口が大きく、かつ側面視逆三角形状の理想的な形態になることで、より大きな容積を有する抽出袋に拡張するため、抽出袋の上部開口から嗜好飲料および被抽出物が溢れ出すことがなく、嗜好飲料中に被抽出物が混在したり、十分抽出されていない嗜好飲料になることもなく風味豊かな嗜好飲料を抽出でき、注湯作業も容易となる。
請求項２に記載の嗜好性飲料抽出用バッグによれば、底部にも襠部が構成されることで、注湯時にはさらに大きな容積を有する抽出袋に拡張するため、抽出袋の上部開口から嗜好飲料および被抽出物が溢れ出すことがなく、嗜好飲料中に被抽出物が混在したり、十分抽出されていない嗜好飲料になることもなく風味豊かな嗜好飲料を抽出でき、注湯作業もより容易な嗜好性飲料抽出用バッグとなる。
請求項３に記載の嗜好性飲料抽出用バッグによれば、底部に襠部が構成されることで、注湯時にはより大きな容積を有する抽出袋に拡張して抽出袋の上部開口から嗜好飲料および被抽出物が溢れ出すことがなく、嗜好飲料中に被抽出物が混在したり、十分抽出されていない嗜好飲料になることもなく風味豊かな嗜好飲料を抽出でき、注湯作業も容易な嗜好性飲料抽出用バッグとなる。
【図面の簡単な説明】
【００１１】
【図１】本発明の嗜好飲料用抽出バッグの一実施例の正面図である。
【図２】図１に示した嗜好飲料用抽出バッグの左側面図である。
【図３】図１に示した嗜好飲料用抽出バッグにおける抽出袋の正面図である。
【図４】図１に示した嗜好飲料用抽出バッグの斜視図である。
【図５】図１に示した嗜好飲料用抽出バッグの使用方法を説明するための斜視図である。
【図６】図１に示した嗜好飲料用抽出バッグの使用方法を説明するための左側面概略図である。
【図７】図１に示した嗜好飲料用抽出バッグの使用方法を説明するための左側面概略図である。
【図８】図１に示した嗜好飲料用抽出バッグの使用方法を説明するための左側面概略図である。
【図９】図１に示した嗜好飲料用抽出バッグの使用状態を説明するための斜視図である。
【図１０】従来の嗜好飲料用抽出バッグの斜視図である。
【発明を実施するための形態】
【００１２】
本発明では、抽出袋３が、上方に向かって徐々に横幅が大きくなる側部襠部５ａ，５ｂ、または／および底部襠部６を有し、側部襠部５ａ，５ｂ、または／および底部襠部６がそれぞれ内側に折り込まれていることで、注湯時にはより大きな容積を有する抽出袋３に拡張して抽出袋３の上部開口２から嗜好飲料および被抽出物が溢れ出すことがなく、嗜好飲料中に被抽出物が混在したり、十分抽出されていない嗜好飲料になることもなく風味豊かな嗜好飲料を抽出でき、注湯作業も容易な嗜好性飲料抽出用バッグ１を実現した。
【実施例１】
【００１３】
本発明の嗜好性飲料抽出用バッグを図１ないし図９に示した一実施例を用いて説明する。
この実施例の嗜好性飲料抽出用バッグ１は、正面視略矩形に形成されると共に上部開口２を備え内部に被抽出物６０を収納するための抽出袋３と、抽出袋３の正面および背面にそれぞれ取り付けられると共に飲用カップ２０の上部開口周縁部２１に掛止される抽出袋支持シート４ａ，４ｂとを有し、抽出袋３は、両側部にそれぞれ上方に向かって徐々に横幅が大きくなる側部襠部５ａ，５ｂと、底部に底部襠部６を有し、側部襠部５ａ，５ｂおよび底部襠部６はそれぞれ内側に折り込まれていることを特徴とする嗜好性飲料抽出用バッグである。以下、各構成について順次詳述する。
【００１４】
嗜好性飲料抽出用バッグ１は、焙煎粉砕したコーヒー豆（被抽出物）にお湯を注いでコーヒーを淹れるためのものであり、図９に示すように、飲用カップ２０の上部開口周縁部２１に掛止して使用するものである。
【００１５】
なお、この実施例の嗜好性飲料抽出用バッグ１は焙煎粉砕したコーヒー豆（被抽出物）が予め抽出袋３内に収納され、抽出袋３がイージーシールされた上で、外袋（図示しない）により被包されたものであるが、被抽出物が予め抽出袋内に収納されていないものも本発明の範疇に包含される。
【００１６】
抽出袋３は、図１に示すように、正面視略矩形に形成されると共に上部開口２を備えており、内部には図６に示した焙煎粉砕したコーヒー豆（被抽出物）６０を収納するための被抽出物収納空間７を有している。
【００１７】
抽出袋３の形成材料としては適度な通湯性に有するものであればよいが、不織布が好ましく、特に、ポリプロピレン繊維又はポリエステル繊維等の熱可塑性繊維を構成繊維としたエンボスタイプの不織布がより好ましい。エンボスタイプの不織布は、構成繊維相互間が部分的に圧縮されると共に圧縮部位で結合されており、圧縮部位で構成繊維相互間の空隙が小さくなると共に空隙率が低くなって、スポット的に湯を通しにくくなっているため、被抽出物を抽出する適度な通湯性を備えた抽出袋を形成することができる。
【００１８】
また、抽出袋３は、熱可塑性繊維を構成繊維とした不織布を用いることによって、図２または図９に示すように、抽出袋３の側縁部３ａ，３ｂをそれぞれ熱融着して貼着し、有底袋状体として形成されている。
【００１９】
さらに、抽出袋３は、成形時には上部開口２が形成されるように開放した状態で成形され、この上部開口２を通して予め所定量の被抽出物６０が投入され、その後、抽出袋３の前後面の上端辺部３ｃ内側同士を接着し封止（イージーシール）されている。 
【００２０】
この封止（イージーシール）は、図１に示すように、前後面の上端辺部３ｃの内側同士を面接触させ、上端辺部３ｃを線状に接合（熱融着）することによって行われており、この接合によって上部開口部２が封止されている。そして、この封止（イージーシール）の下、抽出袋３の前後面を引き離し方向に引っ張ると、両者が簡単に剥離し上部開口２が開封するように構成されている。
【００２１】
抽出袋３は、図５または図８に示すように、両側部にそれぞれ上方に向かって徐々に横幅が大きくなる側部襠部５ａ，５ｂを有し、これら側部襠部５ａ，５ｂは、図３に示すように、それぞれ内側に折り込まれている。これにより、注湯時には、図８に示すように、抽出袋３の上部開口２が大きく、側面視略逆三角形状（略Ｖ字形状）の理想的なドリップ用形態になることで、より大きな容積を有する抽出袋３に拡張して抽出袋３の上部開口２から嗜好飲料および被抽出物６０が溢れ出すことがなく、嗜好飲料中に被抽出物６０が混在したり、十分抽出されていない嗜好飲料になることもなく風味豊かな嗜好飲料を抽出でき、注湯作業も容易な嗜好性飲料抽出用バッグを構成することができる。
【００２２】
また、抽出袋３は、図２または図８に示すように、底部に底部襠部６を有し、この底部襠部６は内側に折り込まれている。これにより、さらに注湯時にはより大きな容積を有する抽出袋３に拡張して抽出袋３の上部開口２から嗜好飲料および被抽出物６０が溢れ出すことがなく、嗜好飲料中に被抽出物６０が混在したり、十分抽出されていない嗜好飲料になることもなく風味豊かな嗜好飲料を抽出でき、注湯作業も容易な嗜好性飲料抽出用バッグを構成することができる。
【００２３】
抽出袋支持シート４ａ，４ｂは、図９に示すように、飲用カップ２０の上部開口周縁部２１に抽出袋３を掛止させて保持させるための部材であり、抽出袋３の正面および背面にそれぞれ取り付けられている。
【００２４】
この実施例の抽出袋支持シート４ａ，４ｂは、剛性のある紙材で形成されており、抽出袋３の正面および背面にそれぞれ略Ｍ字状に接着固定された接着部８ａ，８ｂと、接着部８ａ，８ｂの中央下部で連続し、他の部位は打ち抜き成形により接着部８ａ，８ｂと分断して形成された引き起こし片９ａ，９ｂとを有している。引き起こし片９ａ，９ｂは、飲用カップ２０の上部開口周縁部２１に掛止される部位であり、図８に示すように、抽出袋３から引き離す方向に引っ張ることにより逆Ｖ型の掛止部１０を形成するように打ち抜き成形がなされている。
【００２５】
つぎに、本発明の嗜好性飲料抽出用バッグ１の使用方法について説明する。
嗜好性飲料抽出用バッグ１を使用するには、図６に示したように、上部開口２が封止（イージーシール）された状態から、抽出袋３の正面および背面にそれぞれ取り付けられた抽出袋支持シート４ａ，４ｂの引き起こし片９ａ，９ｂの下部を把持して、図７に示すように、両側（正面側および背面側）に引っ張ると、引き起こし片９ａ，９ｂがまず引き起こされる。さらに、引き起こし片９ａ，９ｂを両側に引っ張ると、図８に示すように、抽出袋３の上端辺部３ｃのイージーシールが剥がれて上部開口２が開くと共に、引き起こし片９ａ，９ｂは逆Ｖ字型の掛止部１０を形成する。この掛止部１０を、図９に示すように、飲用カップ２０の周縁部２１に掛止させることにより、嗜好性飲料抽出用バッグ１を飲用カップ２０に保持させることができる。そして、この状態で上方より抽出袋３の上部開口２からお湯を注ぐと、抽出袋３により濾過されて飲用カップ２０内にコーヒーがドリップされる。
【００２６】
上記のように、本発明の嗜好性飲料抽出用バッグ１では、注湯時に、抽出袋３の上部開口２が大きく開口し、また、側面視逆三角形状（略Ｖ字形状）の理想的な形態となり、さらに、側部襠部５ａ，５ｂおよび底部襠部６を有することで、より大きな容積を有する抽出袋３に拡張するため、抽出袋３の上部開口２からお湯を注いでも、嗜好飲料および被抽出物６０が溢れ出すことがなく、嗜好飲料中に被抽出物６０が混在したり、十分抽出されていない嗜好飲料になることもなく風味豊かな嗜好飲料を抽出でき、注湯作業も容易に行うことができる。
【符号の説明】
【００２７】
１      嗜好飲料用抽出バッグ
２      上部開口
３      抽出袋
３ａ    側縁部
３ｂ    側縁部
３ｃ    上端辺部
４ａ    抽出袋支持シート
４ｂ    抽出袋支持シート
５ａ    側部襠部
５ｂ    側部襠部
６      底部襠部
７      被抽出物収納空間
８ａ    接着部
８ｂ    接着部
９ａ    引き起こし部
９ｂ    引き起こし部
１０    掛止部
【図１】
2015077325.tif 000003
【図２】
2015077325.tif 000004
【図３】
2015077325.tif 000005
【図４】
2015077325.tif 000006
【図５】
2015077325.tif 000007
【図６】
2015077325.tif 000008
【図７】
2015077325.tif 000009
【図８】
2015077325.tif 000010
【図９】
2015077325.tif 000011
【図１０】
2015077325.tif 000012